(57)【要約】【課題】実生苗及び挿し木苗を大量にかつ効率的に生産するために、機械化に馴染む新規な方法及び資材（ポット、トレイ）を提供すること。【解決手段】培地充填機を用いてトレイの孔部に挿入された軟質の素材からなる育苗用のポットに培地を充填する方法であって、  前記トレイとポットが接する部分の少なくとも一部を、密着資材を用いて相互に密着せしめることにより、培地充填機から落下し前記トレイとポットの間の隙間に入る充填用の培地によりポットが変形してポットへの培地の充填が妨げられるのを防ぐことを含む、前記方法ならびに該方法に用いられるポット及びトレイ。【選択図】図２
2017079700.tif 000002
【特許請求の範囲】
【請求項１】
培地充填機を用いてトレイの孔部に挿入された軟質の素材からなる、育苗用のポットに培地を充填する方法であって、
前記トレイとポットが接する部分の少なくとも一部を、密着資材を用いて相互に密着せしめることにより、培地充填機から落下し前記トレイとポットの間の隙間に入る充填用の培地によりポットが変形してポットへの培地の充填が妨げられるのを防ぐことを含む、前記方法。
【請求項２】
ポットが、開口部の形状が円形又は多角形であり、該開口部の内径がポットの高さの２分の１以下であるポットであるか、又は高さが１０ｃｍ以上のポットである、請求項１に記載の方法。
【請求項３】
軟質の素材が生分解性プラスチックの不織布である請求項１又は２に記載の方法。
【請求項４】
生分解性プラスチックがポリ乳酸、酢酸セルロース又はポリ酢酸セルロースである、請求項３に記載の方法。
【請求項５】
密着資材が接着剤又は粘着剤を備える、請求項１〜４のいずれかに記載の方法。
【請求項６】
育苗用のポットがスギ、ヒノキ及び／又はカラマツ育苗用のポットである、請求項１〜５のいずれかに記載の方法。
【請求項７】
請求項１〜６のいずれかに記載の方法に用いられるポット及びトレイからなる資材であって、前記ポット及び／又はトレイが密着資材を具備する、前記資材。
【発明の詳細な説明】
【技術分野】
【０００１】
本発明は植物苗の効率的な製造方法に関する。
【０００２】
我が国における樹木その他の植物の苗の生産は、露地又は温室等の施設内において実生で行われるほか、挿し木によって行われる。
一方、海外の林業先進国では、苗木育成用のコンテナを用いるコンテナ育苗技術が確立され、近年、わが国でも国内林業向けのJEAコンテナ（マルチキャビティコンテナ）が開発され普及が拡大している。苗木育成用のコンテナには、個別のコンテナが分離したもののほか、多数の苗育成孔を有する硬質プラスチック製の育苗容器の形態のものが、樹種、育苗環境、作業性に応じて、容量、形状等様々なタイプがある。個別のコンテナがトレイと分離したタイプの場合、そのサイズは例えば上径約５ｃｍ、下径約１．５ｃｍ、高さ約１５ｃｍであり、先細りの形状である。
コンテナ育苗のメリットとして、（1）貯蔵や運搬などのハンドリングに優れること、（2）培地付き苗なので植栽適期の拡大が可能であること、（3）小型軽量のため植栽効率が高いこと等があげられる。
【０００３】
なお、上記「コンテナ」の語とは別に、複数のコンテナを連結しトレイ状とした資材は「育苗トレイ」と称されることもあるが、本明細書においては「コンテナ」及び「育苗トレイ」を区別せずに用いる場合がある。
【０００４】
実生育苗において育苗用のコンテナを用いる場合は、種子をコンテナに充填された培地に直接播種するか、あるいは露地、人工培地上で発芽させた幼植物を移植し、育苗する方法等が採られる。挿し木育苗において育苗用のコンテナを用いる場合は、台木（母樹）の穂を含む部分を切り取り（切り取られた部分を「挿し穂」という）、該挿し穂をコンテナに充填された挿し床に直接挿し木するか、あるいは露地、人工培地から床替えした穂を挿し木して発根させ、育苗する方法等が採られる。後者の方法による育苗（以下「挿し木育苗」という）においては、挿し穂を約２００本／ｍ２以上の高い密度で生育せしめるといった面積当たり生産量を高め集約的な育苗管理が可能である（露地育苗では１００本／ｍ２程度）。なお、挿し木（又は挿し付け）とは、挿し穂を植え付ける工程を意味する。
育苗用のコンテナは草本性の植物にも用いられ、この場合には当該コンテナは実生、挿し木の他、むかご、球根、地下茎、ランナー等の栄養繁殖器官を用いた育苗にも用いられる。
【０００５】
コンテナを用いて実生苗及び挿し木苗等を製造する場合、基本的に以下の工程を経る：
（i）培地をコンテナ充填する工程
（ii）コンテナに充填した培地表面に播種、移植、挿し木用の穴を開ける工程。穴は通常、コンテナのほぼ中央部に開ける。ただし、播種の場合、植物の種類によっては穴開けを省略することがある。
（iii）該コンテナの培地の穴に、種子、幼植物、挿し穂を投入する工程。挿し木苗の場合、培地表面の穴に挿し穂の切り口を差し込み、該挿し穂の軸部（挿し付け部分）培地中に埋まるようにさらに挿し穂を培地中に埋め込む工程。挿し穂の軸部が培地中に埋まる長さは、挿し穂の大きさや、挿し木する植物種によって変わるが、通常１〜１５ｃｍ程度である。なお、培地に穴を開けずに播種を行う場合、種子は培地の表面に設置するのみである。
（iv）播種された種子、移植された幼植物、挿し木された挿し穂が育苗中に動かないようにする工程。(ii) の工程で開けた穴を埋める他、培地表面にさらに培地を追加、培地表面を上から押して培地を押し固めておく作業を伴うことがある。
上記工程（i）〜（iv）の後のコンテナはトレイ等の容器に並べ、適宜運搬し、育苗に供される。挿し木育苗においては、工程（iv）での培地を押し固める工程は、培地と挿し穂の切り口をより緊密にし、挿し穂の切り口を通じた培地中からの水分吸収を効率的に行うことを可能にする効果もある。
【０００６】
一方大量にかつ効率的に生産するためには機械化が不可欠であるところ、上記コンテナを用いて実生苗及び挿し木苗等を製造する場合の工程（i）〜（iv）のうち、（i）及び(ii)の工程は例えば実生苗及び挿し木苗のいずれにおいても機械により行うことが容易であり、実際に機械化はなされている。例えば（i）については、コンテナ用培地充填機が開発され、用いられている。
【０００７】
コンテナ以外の実生苗及び挿し木苗等を製造するための容器についても報告がなされており、例えば特許文献１及び２には、それぞれ生分解性の素材を用いた育苗用シート及びポットが、それぞれ記載されている。
特許文献３には、移植の際に地面に挿し込める強度のある素材筒状微多孔質焼成体（セラッミックの円筒）についての開示がある。
また非特許文献１には、シートを筒状にしてコンテナとして用いる技術が開示されている。
【０００８】
生分解性の素材を用いた育苗用ポットにおいてはコンテナ苗を生産する際に、根鉢形成が完全でない段階での出荷を可能にするほか、コンテナ容器からの抜取りを不要とする生分解性プラスチックの不織布によるポット形状のコンテナ（以下単に「ポット」ということがある）が注目を集めている。  関連する技術として、培土充填板を用いる技術が報告されている（特許文献４）。
【先行技術文献】
【特許文献】
【０００９】
【特許文献１】特開２００７−２８２５３８号公報
【特許文献２】特開２０１１−５５７２０号公報
【特許文献３】特開２００８−２６３８２２号公報
【特許文献４】特開２０１１−２４４７０１号公報
【特許文献５】特開２００３−３３３９３６号公報
【非特許文献】
【００１０】
【非特許文献１】「Ｍスターコンテナを用いた挿木苗生産システムの開発と実用化」、宮崎林業技術センター、三樹陽一郎
【発明の概要】
【発明が解決しようとする課題】
【００１１】
実生苗及び挿し木苗等の苗を大量にかつ効率的に生産するためには機械化が不可欠であるところ、上記コンテナを用いて苗を製造する場合の工程（i）〜（iv）のうち、前記のとおり（i）及び(ii)の工程は機械により行うことが容易であり実際に機械化はなされている。
一方、上記した生分解性ポットは軟質であり、開口部の口径に比べて背が高いという形状を有するため、その上端部を含む部位が外部からの力により変形しやすく開口部が狭くなってしまう。すなわち、生分解性ポットの場合、通常のプラスチック製コンテナのように培地の充填時に自立させその形状を保つことができず、現在用いることができる生分解性ポットでは一般的なコンテナ用培地充填機を用いた培地充填ができないという問題がある。
生分解性ポットにおける上記問題点は、特許文献４に示されるような培土充填板を用いてもポットの折れ曲がりを防ぐことができないため、解消できない。しかも培地の表面を押さえる作業(固く培地を充填する場合や、挿し木を行う場合)では、生分解性ポットにおいてはポット自体の形状保持性が低くポットの形が歪むことがかかる作業の妨げとなっているといった問題点もある。
上記背景の下、本発明者らは、植物の苗、とくに挿し木苗を大量にかつ効率的に生産するために、機械化に馴染む新規な方法及び資材（ポット、トレイ）を提供することを目的とした。
【課題を解決するための手段】
【００１２】
上記課題に鑑み本発明者らが検討を行ったところ、生分解性ポットとトレイとの位置関係を修正することにより一般的なコンテナ用培地充填機を用いた培地の充填が可能になる可能性を見出し、さらに鋭意研究を進めた結果本発明を完成するに至った。
すなわち本発明は、少なくとも以下の発明に関する：
[１]充填機を用いてトレイの孔部に挿入された軟質の素材からなる育苗用のポットに培地を充填する方法であって、
前記トレイとポットが接する部分の少なくとも一部を密着資材を用いて相互に密着せしめることにより、培地充填機から落下し前記トレイとポットの間の隙間に入る充填用の培地によりポットが変形してポットへの培地の充填が妨げられるのを防ぐことを含む、前記方法。
[２] ポットが、開口部の形状が円形又は多角形であり、該開口部の内径がポットの高さの２分の１以下であるポットであるか、又は高さが１０ｃｍ以上のポットである、上記［１］に記載の方法。
［３］軟質の素材が生分解性プラスチックの不織布である上記［１］又は［２］に記載の方法。
［４］生分解性プラスチックがポリ乳酸酢酸セルロース又はポリ酢酸セルロースである、上記［３］に記載の方法。
［５］密着資材が接着剤又は粘着剤を備える、上記［１］〜［４］のいずれかに記載の方法。
［６］育苗用のポットがスギ、ヒノキ及び／又はカラマツ育苗用のポットである、[１]〜［５］のいずれかに記載の方法。
［７］上記[１]〜［６］のいずれかに記載の方法に用いられるポット及びトレイからなる資材であって、前記ポット及び／又はトレイが密着資材を具備する、前記資材。
【発明の効果】
【００１３】
本発明の方法においては、硬質のトレイに軟質のポットを固定することにより硬質のコンテナ容器と同様の培地充填が可能になり、省力化が可能になるため、前記実生苗及び挿し木苗等を製造するための資材の製造を機械により簡便に行うことが可能になるといった効果が奏される。
【図面の簡単な説明】
【００１４】
【図１】本発明において用いられるポットが、トレイのポット収納部に装填・設置され、培地が充填される前の状態の例を示す写真図である。
【図２】密着資材により相互に密着させたポットとトレイの例を示す縦断面模式図である。
【図３】コンテナ用培地充填機を用いた培地の充填の様子の例を示す写真図である。
【図４】本発明の方法の概略を、従来技術と対比して示す縦断面模式図である。  上の図が従来技術の方法を、下の図が本発明の方法を、それぞれ表す。  従来技術の方法では、点線により示されるとおり、培地充填の際からポットの外形に変形が生じてポットとトレイの間にも培地が入り込んでしまう。これに対し、本発明の方法によればポットの変形は生じずポットの折れ曲がりを回避することができるため、ポットとトレイの間にも培地が入り込むことはない。また、上から力を掛けることもできる（矢印）。
【図５】コンテナ用培地充填機を用いて培地の充填を行った後のポットの状態の例を示す写真図である。３個ずつが並べられた２列のうち、左側が本発明の方法により充填が行われたポットであり、右側が従来技術によるものである。
【図６】本発明の方法の好適例を示す縦断面模式図である。
【図７】コンテナ用培地充填機を用いて培地の充填を行った後のポットの状態を、本発明の方法の例を示す写真図である（実施例１）。  左から１列目、３列目、５列目及び７列目が本発明の方法により充填が行われたポット（実線の矢印により示される２０ポット）であり、左から２列目、４列目及び６列目が従来技術により充填が行われたポット（点線の矢印により示される１５ポット）である。
【発明を実施するための形態】
【００１５】
本発明は、上記のとおり、培地充填機を用いてトレイの孔部に挿入された、軟質の素材からなる育苗用のポットに培地を充填する方法であって、
前記トレイとポットが接する部分の少なくとも一部を密着資材を用いて相互に密着せしめることにより、培地充填機から落下し前記トレイとポットとの間の隙間に入る（入ってしまうことがある）充填用の培地によりポットが変形して、ポットへの培地の充填が妨げられるのを防ぐことを含む、前記方法に関する。  以下に本発明の方法及び資材について、各工程・部材についての説明を適宜図面を参照しながら、詳細に説明する。
【００１６】
本発明において、「挿し穂」は、育苗の対象である植物の植栽がなされる前のステージにある苗を意味し、必ずしも穂を有していなくてもよい。
本発明において、「挿し木」は、育苗の対象である植物の前記挿し穂を育苗可能な状態に培地に差し込む操作を意味し、この場合植物は必ずしも木本性の植物が対象でなくてもよい。
本発明において、実生苗及び挿し木苗以外の育苗の対象であるむかご、球根、地下茎、ランナー等の栄養繁殖器官を総称して「実生苗及び挿し木苗等」ということがある。また、単に「実生苗及び挿し木苗」と記載されている場合であっても、実生苗及び挿し木苗以外の育苗の対象を明示して除外していない場合には、本発明の効果が奏される限り、それらの除外されていない育苗対象も「実生苗及び挿し木苗」に包含されると解される。
本発明においては、「培地」の語が、育苗の対象である植物の育苗に用いられる培土や土壌を意味するものとして用いられる場合がある。
【００１７】
１．育苗用のポットに培地を充填する方法
（ポット）
本発明の方法において用いられるポットは、軟質の素材からなる育苗用のポットであれば、形状や大きさは限定されない。
ポットの形状は、例えば長軸方向に垂直な方向における断面（横断面）の形状は多角形や円形であってよい。コンテナの形状は、典型的には細長の円錐台や四角錐台の形状である。  ポットの大きさは、例えば上径約３．５ｃｍ〜５．５ｃｍ、下径３．０ｃｍ〜４．０ｃｍ、高さ約１０ｃｍ〜１８ｃｍであり、用いられる植物の種類等に応じて決定してよい。
本発明の方法は、ポットの開口部の形状が略円形（円形及び多角形、とくに各内角の大きさが約９０度以上である多角形等）であり、該開口部の内径がポットの高さの２分の１以下であるポットを用いる場合に好ましく適用され、３分の１以下である場合により好ましく適用され、４分の１以下である場合により一層好ましく適用される。
【００１８】
本発明の方法において用いられるポットの材質は、軟質の素材であれば限定されないところ、培地充填機から落下し前記トレイとポットとの間の隙間に入る（入ってしまうことがある）充填用の培地によりポットが変形してしまう素材であり、厚みは限定されない。なお本発明の方法は、ポットの材質が軟質の素材でない場合にも適用は可能であるが、実施する労力・コストに対して得られる効果は、軟質の素材の場合に比較して小さくなる。
軟質の素材として生分解性プラスチックの不織布は好ましい。成形がしやすく、比較的安価であるからである。
生分解性プラスチックとしてポリ乳酸、酢酸セルロース及びポリ酢酸セルロースは好ましく、ポリ乳酸からなるものは汎用性が高いためとくに好ましい。
本発明の方法に用いられるポットは、トレイに入れる前にポットとしての形状を持っているものに限らず、特許文献５に記載されているような平板から形成されるポットであってよい。また、本発明において用いられるポットにおいては、開口部は必ずしも底面に対して平行でなくてよいし、開口部に連結された突起部を有していてもよい。
【００１９】
（トレイ）
本発明の方法において用いられるトレイは、用いられるポットの全周の約４分の１以上が完全に収まる深さと、ポットと一部または全体が密着する形状の穴を具備する硬質の素材のトレイであれば、その他大きさや素材は限定されない。したがって、本発明の方法において用いられるトレイは市販のポリプロピレン製であってよい。
【００２０】
（方法）
本発明の方法は、例えば以下の工程により行うことができる。なお、これらの工程を行う順番は適宜決定することが可能であり、必ずしも下記の順番で行う必要はない。
Ａ．ポットを準備する。
Ｂ．トレイ２のポット収納部にポット１を挿入する（図１）。
Ｃ．ポット１とトレイ２の少なくとも一部を密着資材３により相互に密着させる（図２）。密着資材として例えば、水で溶解する性質の接着剤、又は時間が経つと容易に劣化する性質の接着剤などの、少なくとも培地４の充填中（図３）には、上方から落下する培地の圧力によりポット１の上端部が変形して当該ポット１への培地の充填が阻害されないようにする前記密着資材をポット１の該側面及び／又はトレイ２の内側面に適用する。
【００２１】
上記工程Ｃによりポット１は、密着資材３によりトレイ２に密着し、ポット１がトレイ２に固定されるので、上方から落とされる培地４の圧力やポット１とトレイ２の間に入り込んだ培地５の圧力によりポットの上端部を含む部位が折れ曲がって、変形した、ポットの上端部６が生じ、開口部が閉じたり変形したりすることはなく、開口部の開口面積が維持されることにより、通常のポット用培地充填機を利用することが可能になる（図４及び５）。本発明の方法を適用することにより、上端部を含む部位がとくに折れ曲がりやすい、ポットが縦長形状である等の理由により、ポットが自立していない場合や自立が困難なポットについても、通常のポット用培地充填機を利用が可能になる（図４）。
【００２２】
密着資材としては、上記のような接着剤、粘着剤、テープ及び止め具からの１つ又は２つ以上であってよい。これらのうち接着剤、粘着剤及びテープは好ましく、接着剤はとくに好ましく、水で溶解する性質及び／又は時間が経つと容易に劣化する性質を有する接着剤はさらに好ましい。水で溶解する接着剤及び／又は時間が経つと容易に劣化する性質の接着剤を利用することで、育苗中にトレイ２とポット１の分離が可能になり、挿し付けが容易に行える。また、ポット１に培地が充填されたあとであれば、トレイ２との接着がなくなってもポットが折れ曲がることはないし、その後の育苗に十分な量の培地が充填されている。
【００２３】
密着資材として接着剤又は粘着剤を用いる場合、これらの種類は限定されない。接着剤又は粘着剤として、水で溶解する性質及び／又は時間が経つと容易に劣化する性質を有する接着剤はさらに好ましい。水で溶解する接着剤及び／又は時間が経つと容易に劣化する性質の接着剤は好ましく、このような接着剤又は粘着剤として木工用ボンド（登録商標）、アラビアのり、澱粉糊、酢酸ビニル系接着剤又は粘着剤が挙げられる。なお、本発明において接着剤と粘着剤はとくに区別されず又は粘着剤と称する。
密着資材として接着剤及び／又は粘着剤を用いる場合、接着剤及び／又は粘着剤を塗布する面積及び塗布する量は、上方から落とされる培地によりポットの上端部を含む部位が折れ曲がって開口部が閉じたり変形したりせず、開口部の開口面積が維持される面積及び量であれば限定されない。
【００２４】
ポット及びトレイを密着させる部位は、トレイとポットが接する部分の少なくとも一部であり、密着資材を適用するのはポット及びトレイそれぞれの外側及び内側のいずれか一方であっても両方であってもよい。いずれか一方のみに密着資材を適用する場合は、密着資材をポット又はトレイに適用するための作業が簡便化されるため好ましい。なお、「トレイとポットが接する部分の少なくとも一部」には、トレイとポットの全体が接する場合の一部又は全体も包含されるし、トレイとポットがそれぞれの一部においてのみ接する場合の一部又は全体も包含される。
ポット及びトレイが密着する部位の位置は限定されず、ポット及び／又はトレイの、培地充填機に対する進行方向側の半分の領域のいずれかの部位を含むことは好ましい（図６）。本発明の方法は自走式の培地充填機にも適用することができる。上記のようにポット及びトレイが密着する部位の位置としてポット及び／又はトレイの、培地充填機に対する進行方向側の半分の領域のいずれかの部位を含むことは、自走式の培地充填機を用いる場合にポットの折れ曲がりをとくに効果的に防ぐことができるため、とくに好ましい。
密着資材によりポットとトレイが相互に密着する領域の大きさは、本発明の効果が奏されれば限定されず、幅（水平方向の長さ）はポットの外周に対して１／５〜１／２が好ましく、１／５〜１／３がより好ましく、１／４〜１／３程度が一層より好ましい。前記密着する領域の高さ鉛直方向の長さは、０．５ｃｍ〜２ｃｍが好ましく、０．５ｃｍ〜１．６ｃｍがより好ましく、１．０ｃｍ〜１．５ｃｍが一層より好ましい。
また、ポット及びトレイを密着させる部位がポットの半分の高さより上方に位置する部位を含むことはより好ましい（図６）。このようにすることにより、ポットの変形をより確実に防ぐことができる。
【００２５】
密着資材として接着剤、粘着剤又はテープを用いる場合、これらの密着資材を適用する部位として、トレイ及び／又はポットにおける、ポット上端から、ポット全体の高さのおよそ５分の１下方までの位置に対応する部位を含むことは好ましく、およそ６分の１下方までの位置に対応する部位を含むことはより好ましく、およそ７分の１下方までの位置に対応する部位を含むことは一層より好ましい。
これらの場合、密着資材を適用する部位の位置をポットの上端を基準に示すと、例えば
高さが１２ｃｍのポットにおいては、上端から約２．４ｃｍの部位を含むことは好ましく、約２ｃｍの位部位を含むことはより好ましく、約１．７ｃｍの部位を含むことは一層より好ましい。また、例えば高さが１８ｃｍのポットにおいては、上端から約３．６ｃｍの部位を含むことは好ましく、約３ｃｍの位部位を含むとはより好ましく、約２．６ｃｍの部位を含むことは一層より好ましい。
【００２６】
密着資材として接着剤、粘着剤又はテープを用いる場合、これらの密着資材は典型的にはトレイのポット収納部の内壁面におけるいずれかの部位及び／又はポットの側面におけるいずれかの部位に適用され、ポット収納部の内壁面の一部とポットの側面の一部とが接着又は粘着され、トレイとポットとが相互に密着する。あるいはトレイのポット収納部上端部ではない、トレイの上部面のいずれかの部位とポットの側面とが接着又は粘着されることにより、トレイとポットとを相互に密着させてもよい。
【００２７】
（植物）
本発明の方法が適用される植物の種類は、コンテナでの育苗が可能な植物であればとくに限定されず、生育ステージもとくに限定されない。
前記植物の例としては木本性及び草本性の植物が挙げられる。
木本性の植物としてスギ、ヒノキ、クロマツ、カラマツ、エゾマツ等の針葉樹、ミズキ、サクラ、シイ、カシ、カエデ、コナラ、ハンノキ、ヤナギ、キョウチクトウ、バラ等の広葉樹、その他主として海外で植林される樹種であるアカシア、ユーカリ等が例示される。
草本性の植物としてベゴニア、ゼラニウム、カーネーション、キク等の花卉類、トマト、キュウリ、セイジ等の野菜類が例示される。本発明の方法を草本性の植物に適用する場合、植物の増殖形態やステージは限定されず、むかご、球根、地下茎、ランナー等を用いることができる。
本発明の資材が好適に用いられる植物としてスギ、ヒノキ、クロマツ、カラマツ及びエゾマツが例示され、これらのうちスギ、ヒノキ及びカラマツにとくに好適である。
【００２８】
（培地）
本発明において用いられる培地は限定されず、対象植物の育苗に適切に用いられるものであってよい。培地の例として、赤玉土、鹿沼土、ピートモス、ココピートといった資材が例示される。対象植物がスギ又はヒノキである場合、培地が、赤玉土主体の培土である本発明の資材は好ましい。また、培地として毛管力に優れた他の媒体（マット材、保水材等）を用いてもよい。したがって、本発明における「培地」には、上記したような毛管力に優れた培土以外の他の媒体も包含される。
培地の量は、ポットのほぼ内容積全体に培地が充填される量であればよい。このような量を用いることにより、例えば木本性の植物においては挿し木後の挿し穂を安定させることができる。
【００２９】
（育苗方法及び植栽方法）
本発明の方法を用いた場合の苗の育苗方法はとくに限定されず、対象植物のポット苗を育苗する際の通常の方法に従って行うことができる。
育苗された苗を植栽するに際しては、育苗された苗をポットから抜き取って苗床に植栽することができる。ポット及びシート製部材が生分解性プラスチックからなるものである場合には、育苗された苗をポットから抜き取らずそのまま苗床に植栽できるため好ましい。
【００３０】
２．植物の実生苗又は挿し木苗を製造するための資材
本発明は、上記いずれかの方法に用いられる、密着資材を備えたトレイ、ポット、及びポット及びトレイからなる資材、にも関する。
これらのトレイ、ポット及びポット及びトレイからなる資材は、密着資材を備え、上記いずれかの方法に用いられるものであれば、その他構成は限定されない。
【００３１】
３．実生苗又は挿し木苗の製造方法
本発明は実生苗又は挿し木苗等の製造方法にも関するところ、上記いずれかの方法を行う工程を含むものであれば限定されず、培地を充填した後の管理は通常の方法に従って行うことができる。
本発明の方法を挿し木育苗に用いる場合において挿し穂の栽植密度は、高密度であることは挿し木苗の生産効率の面から好ましく、約２００本／ｍ２以上はより好ましく、約２４０本／ｍ２以上は一層好ましく、約３００本／ｍ２以上はより一層より好ましい。
育苗された苗を植栽するに際しては、育苗された苗をコンテナから抜き取って苗床に植栽することができる。ポットが生分解性プラスチックからなるものである場合には、育苗された苗をコンテナから抜き取らずそのまま苗床に植栽できるため好ましい。
【実施例】
【００３２】
以下において本発明を実施例によりさらに説明するが、本発明はこれらの実施例によりいかなる意味においても限定されるものではない。
【００３３】
（材料及び試験方法）
・使用した材料
（１）(株)東海化成製のトレー(35穴スペーシングトレー)と、(有)グリーンサポート製の生分解性不織布ポット(Bioポット)を使用した。
（２）グリーンサポート製のポットは、トレイの穴と同じ形状になるように加工した。
（３）接着剤はコニシ(株)製の酢酸ビニル接着剤(木工用ボンド)を使用した。
【００３４】
・ポットの設置
（４）トレイは１列ごとに、接着（実施例）と非接着（比較例）の条件として試験を実施した。実施例として４列（合計２０ポット）を、比較例として３列（合計１５ポット）を、それぞれ供試した。
（５）接着を行う穴では、穴（ポット）ごとに0.1gの接着剤を塗布した。
（６）接着剤を塗布する位置は、穴の上端から1.5cm下方までの位置で、ポットの、培地充填機における進行方向側の半周に塗布した。
（７）接着剤を塗布後、直ちにポットを設置し、ポットの接着剤を塗布した部位とトレイの対応する部位とを接触させて、ポットをトレイに密着させた。
比較例のポットは、そのまま通常どおりにトレイ設置した。
（８）ポットの設置後１晩(約１２時間)放置した。
【００３５】
・土詰め作業
（９）培地充填には、京和グリーン(株)製の培地充填機(KYP-GT)を使用した。
（１０）培地充填機のトレイ送りスピードは4ｍ/minで、培地の投入量は60L/minで培地を充填し試験を実施した。
・調査
上記培地充填機による充填工程を経た後の、潰れたポットと潰れなかったポットの個数を実施例および比較例のそれぞれについて数え、割合（％）を計算した。
【００３６】
（結果）
結果を表１及び図７に示す。
同表及び図に示されるとおり、本発明の方法及びポット（「接着あり」：実施例）においては、ポットの上端部が変形し潰れたポットが皆無であり、約半数（４６．７％）のポットが潰れた従来技術（「接着なし」：比較例）と比較して有意に優れた効果（培地の充填効率の改善）が示された。
【表１】
2017079700.tif 000003
【産業上の利用可能性】
【００３７】
本発明によれば、実生苗及び挿し木苗等を大量にかつ効率的に生産するために、機械化に馴染む資材が提供される。したがって本発明は植物栽培業及びその関連産業の発展に寄与するところ大である。
【符号の説明】
【００３８】
１・・・ポット
２・・・トレイ
３・・・密着資材
４・・・培地
５・・・ポットとトレイの間に入り込んだ培地
６・・・変形した、ポットの上端部
【図１】
2017079700.tif 000004
【図２】
2017079700.tif 000005
【図３】
2017079700.tif 000006
【図４】
2017079700.tif 000007
【図５】
2017079700.tif 000008
【図６】
2017079700.tif 000009
【図７】
2017079700.tif 000010